(57)【要約】【課題】  より安定した設置が可能となると共に、運転時の振動や騒音を抑制することができる洗濯機を提供する。【解決手段】  洗濯機の本体ケース１の底部である台板３に、これの四隅に取り付けられた弾性を有する防振脚３１、３２に加え、隣り合った防振脚３１、３２間で、且つ台板３の外周の辺に沿った部位に位置させて、弾性を有する補助脚３３を取り付ける。補助脚３３は防振脚３２より変形し易く、且つ防振脚３２より下方に突出するよう構成されている。これによれば、補助脚３３を取り付けたことで、設置面Ｆと接触する脚を多く確保でき、より安定した洗濯機の設置が可能となる。また、運転時において、ドラム８の回転により本体ケース１が設置面Ｆに及ぼす力を補助脚３３においても吸収、減衰することで、振動や騒音を抑制することができる。【選択図】  図１
2006204715.tif 000002
【特許請求の範囲】
【請求項１】
底部に台板を備えた本体ケースと、この本体ケースの内部に防振手段を介して収容配置された水槽と、この水槽の内部に駆動手段により回転されるように配設された、洗濯槽と脱水槽を兼ねる回転槽とを具備した洗濯機において、
前記台板に、これの四隅に取り付けられた弾性を有する防振脚に加え、隣り合った前記防振脚間で、且つ前記台板の外周の辺に沿った部位に位置させて、弾性を有する補助脚を取り付けたことを特徴とする洗濯機。
【請求項２】
前記回転槽は、これの回転軸が横向き状をなすドラムにより構成し、このドラムの回転軸の軸線を前記台板へ鉛直に投影した場合において、前記補助脚は、前記台板に投影された軸線と直交する辺にあって隣り合った防振脚間の中央部に配置されていることを特徴とする請求項１記載の洗濯機。
【請求項３】
前記回転槽は、これの回転軸が横向き状をなすドラムにより構成されると共に、前記台板は、前記ドラムの回転軸の軸線を台板へ鉛直に投影した場合において、前記台板に投影された軸線と平行となる辺に、前記防振手段の下部を取り付ける防振手段取付部を有し、前記補助脚は、前記台板に投影された軸線と平行となる辺で、且つ前記防振手段取付部近傍に位置させて配置されていることを特徴とする請求項１記載の洗濯機。
【請求項４】
前記補助脚は、前記防振脚より変形し易い構成であることを特徴とする請求項１乃至３の何れかに記載の洗濯機。
【請求項５】
前記補助脚は、非設置状態で前記防振脚より下方に突出していることを特徴とする請求項４記載の洗濯機。
【発明の詳細な説明】
【技術分野】
【０００１】
本発明は、台板の四隅に防振脚を備えた洗濯機に関する。
【背景技術】
【０００２】
従来より、家庭用の洗濯機においては、本体ケースの底部は台板により構成されると共に、この台板の底面の四隅に脚が設けられていて、これら四個の脚を介して床などの設置面上に設置されるようになっている（例えば、特許文献１参照）。また、この種の洗濯機においては、上記脚を、弾性を有する例えばゴム製の防振脚により構成することで、設置面への設置性の向上や、運転時の振動の低減化を図るようにしたものが供されている。
【特許文献１】特開平１１−１６４９８９号公報（図１参照）
【発明の開示】
【発明が解決しようとする課題】
【０００３】
しかしながら、上記した従来構成のものでは、次のような問題点があった。
即ち、上記構成のものの場合、脚が四個のみである為、洗濯機を設置する設置面の状態によっては、一部の脚が設置面と接触せずに不安定となるなど、安定した設置ができないことがある。また、設置状態が不安定であると、防振脚による振動の抑制効果が充分でなく、殊に脱水運転時の振動や騒音が増加する要因となっていた。
【０００４】
本発明は上記事情に鑑みてなされたものであり、その目的は、より安定した設置が可能となると共に、運転時の振動や騒音を抑制することができる洗濯機を提供することにある。
【課題を解決するための手段】
【０００５】
上記目的を達成するために本発明は、底部に台板を備えた本体ケースと、この本体ケースの内部に防振手段を介して収容配置された水槽と、この水槽の内部に駆動手段により回転されるように配設された、洗濯槽と脱水槽を兼ねる回転槽とを具備した洗濯機において、
前記台板に、これの四隅に取り付けられた弾性を有する防振脚に加え、隣り合った前記防振脚間で、且つ前記台板の外周の辺に沿った部位に位置させて、弾性を有する補助脚を取り付けたことを特徴としている。
【０００６】
この構成によれば、台板の四隅の弾性を有する防振脚に加え、弾性を有する補助脚を取り付けたことで、設置面と接触する脚を多く確保でき、より安定した洗濯機の設置が可能となる。また、運転時において、回転槽の回転により本体ケースが設置面に及ぼす力を補助脚においても吸収、減衰することで、振動や騒音を抑制することができる。
【発明の効果】
【０００７】
以上のように、本発明の洗濯機によれば、より安定した設置が可能となる共に、運転時の振動や騒音を抑制することができる効果を得られる。
【発明を実施するための最良の形態】
【０００８】
＜第１実施例＞
以下、本発明をドラム式に適用した場合の第１実施例について図１乃至図８を参照して説明する。
図１において、本体ケース１は矩形箱状をなす外箱２と、この外箱２の底部に設けられた台板３とから構成されている。このうちの外箱２の前部（図１で左側）には、洗濯物出入口４が形成されており、これは扉５によって開閉されるようになっている。本体ケース１の内部には、前部に開口部６ａを有する略円筒状の水槽６が防振手段を構成する弾性支持機構７を介して設けられており、この水槽６の内部には、周壁部に多数の孔８ａを有する回転槽たるドラム８が、回転軸８ｂの軸線８ｃを横向き、この場合前方上向きに傾斜（∠α）した状態で、所謂傾斜軸周りに回転可能に配設されている。このドラム８は水槽６後部に設けたＤＣブラシレスモータからなるモータ９により回転駆動されるようになっており、洗い、すすぎ及び脱水、並びに乾燥に共用の槽として機能する。尚、前記外箱２の背面は上板部２ａ及び下板部２ｂに点検板２ｃを取り付けて構成されている。
【０００９】
前記水槽６の開口部６ａと洗濯物出入口４とは、ベロー１０により水密且つ気密に連通されている。また、水槽６の最下部（図１中、右下）には後述する排水口１１が形成されていて、この排水口１１に、排水弁ケース１２に収容された排水弁１３を介して、排水ホース１４が接続されている。
【００１０】
前記水槽６の後部外部には、熱交換器用のダクト１５が図７の全体の背面図にも示すように上下にわたって取り付けられており、その下部は水槽６の後部下部に形成された通気口１６（図７参照）に連通され、上部はダクト１７を介して、ファン１８ａを収容したファンケーシング１８ｂの吸入側に接続されている。このファンケーシング１８ｂの吐出側は内部に乾燥用ヒータ１９を備えた加熱器２０の一端に接続され、この加熱器２０の他端はダクト２１を介して水槽６上部に連通されている。尚、前記熱交換器用のダクト１５の内部には除湿用の注水管２２が配設されて熱交換器２３が構成されている。乾燥行程においては、ファン１８ａが駆動され、且つ加熱器２０のヒータ１９が通電されると、図示矢印Ｘで示すように、温風が、ダクト２１、水槽６、ドラム８、通気口１６（図７参照）、ダクト１５、ダクト１７、ファンケーシング１８ｂ、加熱器２０、そしてダクト２１というように循環する。この循環時に、注水管２２から水が散水されて温風中の湿気が除湿される。
【００１１】
ここで、洗い行程時及びすすぎ行程時において、前記水槽６は扉５が閉塞状態とされること、開口部６ａがベロー１０によって水密保持されていること、及び排水弁１３が洗い行程時及びすすぎ行程時に閉塞されることにより、ほぼ密閉された形態となる。
【００１２】
本体ケース１の内部上部には、給水弁２４、風呂水ポンプ２５、注水器２６などが配設されており、給水弁２４は、それぞれ独立して開閉される第１の給水口２４ａと第２の給水口２４ｂを備えている。この給水弁２４はその水入口２４ｃが水道に接続されるようになっていて、第１の給水口２４ａが開放されると、水道水が前記注水器２６、給水管２６ａを経て、水槽６の開口部６ａ上部から、水槽６内（ドラム８内）に供給されるようになっている。また、第２の給水口２４ｂが開放されると、前記注水管２２から熱交換器２３内へ散水されるようになっている。
【００１３】
図２は、本体ケース１の底部である台板３を下方より見て表しており、下側が台板３の前部となっている。台板３の外周は、前辺３ａ（図２中、下側）、後辺３ｂ（図２中、上側）、左辺３ｃ（図２中、右側）及び右辺３ｄ（図２中、左側）により構成され、台板３は全体として矩形枠状に形成されたものである。台板３の中央には、開口部３０を有しており、前記外周の辺に沿った部位には、四個の防振脚３１、３２及び六個の補助脚３３がそれぞれ配設されている。
【００１４】
防振脚３１、３２は、台板３の底面の四隅に下方へ突設されている。これら防振脚３１、３２のうち一個、この場合前部右側（図２中、左下）の防振脚３１は、洗濯機全体の設置姿勢調整のため、下方への突出量を調整することが可能なように取り付けてられている。前部右側以外の三箇所の防振脚３２には、十文字の溝３２ａが設けられている（図２、図５参照）。尚、図５は、図２の右上部分を拡大して示し、図６は、その部分の要部の部分拡大破断側面図を示す。三箇所の防振脚３２の構成は同じであるので、以下、一個の防振脚３２を代表して説明する。
【００１５】
防振脚３２は、図６に示すように、床面などの洗濯機本体設置面Ｆ（図１参照）に配置される弾性材製たとえばゴム硬さ５０°のゴム製の円柱状のもので構成され、台板３の四隅に形成された円筒状の脚取付部３４に取り付けられている。
この取り付け構造を説明するに、まず脚取付部３４の天井板部３４ａの中央部には、下方に突出するボス部３４ｂが形成されている。防振脚３２には、ボス部３４ｂと嵌合する嵌合孔部３２ｂが形成されていて、それらの嵌合により防振脚３２が位置決めされた状態で、ねじ３５により脚取付部３４に取り付けられている。
【００１６】
これに対し、六個の補助脚３３は、図２に示すように、隣り合った前記防振脚３１、３２間で、且つ前記台板３の外周の辺に沿った部位に位置させて、台板３から下方へ突設されている。これら補助脚３３のうち二個の補助脚３３は、ドラム８の回転軸８ｂの軸線８ｃを台板３へ鉛直に投影した場合において、台板３に投影された軸線３６と直交する辺にあって隣り合った防振脚３１、３２間の中央部に配置されている。即ち、投影された軸線３６と直交する前辺３ａ（図２中、下側）の中央部、及び後辺３ｂ（図２中、上側）の中央部には補助脚３３が配設されている。
【００１７】
一方、台板３には、台板３に投影された軸線３６と平行となる辺に、前記弾性支持機構７の下部を取り付ける弾性支持機構取付部７ａを有し、四個の補助脚３３は、台板３に投影された軸線３６と平行となる辺で、且つ弾性支持機構取付部７ａ近傍に位置させて配置されている。具体的には、投影された軸線３６と平行となる左辺３ｃ、及び右辺３ｄの弾性支持機構取付部７ａの前後二箇所に位置させて補助脚３３が配設されている。
補助脚３３は、図３の台板３の側面図、及び図４の台板３の正面図に示すように非設置状態で防振脚３１、３２より下方に突出している。これら六箇所の補助脚３３の構成は、上記補助脚３３の位置関係を除いて同じであるので、以下、一個の補助脚３３を代表して説明する。
【００１８】
補助脚３３は、図６に示すように、設置面Ｆ（図１参照）に配置される弾性材製たとえばゴム硬さ４０°のゴム製の円柱状のもので構成され、台板３に形成された円筒状の脚取付部３７に取り付けられている。尚、補助脚３３の下方は中空形状となっている。
この取り付け構造を説明するに、まず脚取付部３７の天井板部３７ａの中央部には、下方に突出するボス部３７ｂが形成されている。補助脚３３には、ボス部３７ｂと嵌合する嵌合孔部３３ａが形成されていて、それらの嵌合により補助脚３３が位置決めされた状態で、ねじ３８により脚取付部３７に取り付けられている。
【００１９】
続いて、前記排水口１１の周辺について図１、図７及び図８を参照しながら詳述する。図８は、図２のＡ−Ａ線に沿う横断面図を示す。
前記水槽６は、図１に示すように傾斜（∠α）し、したがって円筒状をなす水槽６の後部の端部には傾斜した後面６ｂを有する。他方、前記排水口１１は略円形をなし、その排水口１１の径の一部が後面６ｂよりも外方（図１中、右方向）に位置するよう水槽６の最下部に配設されている（図８参照）。後面６ｂは、ドラム８の回転軸心の下方（図７参照）において、前記排水口１１の径に沿うように鉛直方向に略円筒状に形成した膨出部３９を有している。
【００２０】
次に、上記のように構成された本実施例の作用について説明する。
まず、洗濯機を平らな設置面Ｆに設置した場合、防振脚３１、３２及び補助脚３３は洗濯機の自重により縦方向に圧縮される。この時、補助脚３３は径方向に膨らむように変形するが、補助脚３３の下方は中空形状となっているため、径方向の内側へも容易に変形するようになっている。また、防振脚３２のゴム硬度は５０°、補助脚３３のゴム硬度は４０°であって、ゴム硬度の値が小さいほど柔らかい（弾性に富む）ことから、補助脚３３は防振脚３２より変形し易い構成となっている。
【００２１】
よって、非設置状態で防振脚３２の下方の端面より下方に突出していた補助脚３３の下方の端面が、防振脚３２の下方の端面と設置面Ｆにおいて面一になった状態で（図１参照）洗濯機は安定して設置される。
【００２２】
また、洗濯機の設置面Ｆに凹凸が存し、防振脚３２の端面において充分な接地が確保できない場合であっても、弾性に富む補助脚３３が、設置面Ｆの凹凸に応じて接地することにより、安定した状態で洗濯機は設置される。さらに、設置面Ｆの剛性が低い場合であっても、六個の防振脚３２によって接地面積を増やすことができるので、洗濯機は安定して設置される。
この設置状態で、台板３の前辺３ａ（図２中、下側）中央部、及び後辺３ｂ（図２中、上側）の中央部に配設されている補助脚３３は、投影された軸線３６に沿ってドラム８の回転軸８ｂの軸線８ｃの鉛直下方を支持している。
【００２３】
このような洗濯機に対し、殊に脱水運転の際に発生する共振時には、横方向に振動するような力が働く。具体的には、脱水時のドラム８の回転により、ドラム８の回転の周期と洗濯機の固有振動の周期が等しくなり、洗濯機がドラム８に共振するため、弾性支持機構７の下部を取り付ける左右両側の弾性支持機構取付部７ａに、その共振時の力が大きく作用する。しかしながら、弾性支持機構取付部７ａの前後二箇所に位置させて、弾性に富み且つ良好な接地状態の補助脚３３が配設されているため、共振時の力を該補助脚３３において効果的に吸収、減衰することができる。
【００２４】
一方、洗い行程の終了後などにおいては、次のようになされる。即ち、洗い行程が終了した場合（脱水行程前）、まず排水口１１が開放される。この結果、水槽６内の洗い後の水が、排水口１１及び排水弁を介して排水ホース１４を流下する。
この場合、排水口１１は、その径の一部が後面６ｂよりも外方（図２中、右方向）に位置するよう水槽６の最下部に配設され、且つ後面６ｂは、ドラム８の回転軸心の下方において、前記排水口１１の径に沿うように鉛直方向に略円筒状に形成した膨出部３９を有している為、排水の水切れがよく、特に排水終了間際において効果的な排水が行われる。
【００２５】
以上のように本実施例によれば、台板３の四隅の防振脚３２に加え、弾性に富み且つ下方が中空形状をなす補助脚３３を取り付けたことで、設置面Ｆの状況に応じて、設置面Ｆと接触する脚を効果的に多く確保でき、より安定した洗濯機の設置が可能となる。
また、前述のように隣り合った前記防振脚３１、３２間で、且つ前記台板３の外周の辺に沿った部位に位置させて補助脚３３を配設することで、洗濯機を、それら補助脚３３により効果的に支持し、さらに共振時の力を補助脚３３において効果的に吸収、減衰することができ、振動や騒音を抑制することができる。
【００２６】
さらに、補助脚３３は、位置決めされた状態で円筒状の脚取付部３７に取り付けることができるので、脚取付部３７は補助脚３３を取り付ける際のガイドとして機能し、容易に補助脚３３の着脱ができる。また補助脚４４は、ねじ３８により確実に脚取付部４５に固定されるので、安定した洗濯機の設置が可能となると共に、本体ケース１が設置面Ｆに及ぼす力を補助脚３３において確実に吸収、減衰することで、振動や騒音をより確実に抑制することができる。
【００２７】
また、排水口１１は、その径の一部が後面６ｂよりも外方に位置し、後面６ｂに膨出部３９が形成されている為、モータ９の下のスペースを有効に利用した構成となっている。これにより、排水口１１に接続される排水弁１３を収容した排水弁ケース１２の高さを低く抑えることができると同時に、水槽６の下部のスペースを広くとることができるので、洗濯機の小型化を図ることができる。さらに、この構成によれば排水の終了間際の水切れがよく、排水を効果的に行うことができる。
【００２８】
＜第２実施例＞
次に、本発明の第２の実施例について、図９及び図１０を参照して説明する。尚、第１実施例と同一部分には同一符号を付して説明を省略し、以下異なる部分についてのみ説明する。図９は、台板３の後部左側（図２中、右上）の拡大底面図、図１０は部分拡大破断側面図を示す。
補助脚４０は、第１の実施例の補助脚３３とは、以下の点について相違する。即ち、図１０に示すように補助脚４０の下方の端面から上方に向って、ねじ４１の座面４２の位置まで十文字のスリット４３（図９参照）が設けられている。
【００２９】
このような構成によれば、補助脚４０に荷重がかかると、十文字のスリット４３を追加したことで、補助脚４０は周方向に、より変形し易くなる。これにより、設置面Ｆの凹凸に応じて補助脚４０が変形し易くなるので設置面Ｆと接触する脚の面積をさらに確保でき、より安定した洗濯機の設置が可能となると共に、本体ケース１が設置面Ｆに及ぼす力を補助脚４０において、より効果的に吸収、減衰することで、振動や騒音をさらに抑制することができる。
【００３０】
＜第３実施例＞
次に、本発明の第３の実施例について、図１１を参照して説明する。尚、図６と同一部分には同一符号を付して説明を省略し、以下異なる部分についてのみ説明する。図１１は、台板３の部分拡大破断側面図を示す。
【００３１】
補助脚４４は、第１の実施例の補助脚３３とは以下の点について相違する。即ち、図１１に示すように設置面Ｆ（図１参照）に配置される補助脚４４は、下方が円柱形状となっており、台板３に形成された円筒状の脚取付部４５に取り付けられている。
この取り付け構造を説明するに、まず脚取付部４５の天井板部４５ａの中央部には、円形の挿通孔４５ｂが形成されている。補助脚４４の上方には、挿通孔４５ｂより径大な、つば部４４ａが形成されていて、補助脚４４のつば部４４ａを挿通孔４５ｂに挿通させることで、補助脚４４が脚取付部４５に取り付けられている。
【００３２】
このような構成によれば、補助脚４４を確実に脚取付部４５に取り付けることができるので、安定した洗濯機の設置が可能となると共に、本体ケース１が設置面Ｆに及ぼす力を補助脚４４において確実に吸収、減衰することで、振動や騒音をより確実に抑制することができる。また、ねじを使わずに取り付けることができるので、補助脚４４の取り付けが容易となり、且つ部品点数を削減でき、補助脚を備えた洗濯機の製造コストを低減することができる。
【００３３】
＜第４実施例＞
次に、本発明の第４の実施例について、図１２乃至図１４を参照して説明する。尚、図１、図７及び図８と同一部分には同一符号を付して説明を省略し、以下異なる部分についてのみ説明する。図１４は、図１３のＢ−Ｂ線に沿う横断面図を示す。
排水口５０及び膨出部５１は、第１の実施例の排水口１１及び膨出部３９とは以下の点について相違する。即ち、排水口５０は、ドラム８の孔８ａと排水口５０とが重ならない位置となるように、排水口５０の径が水槽６の後面６ｂよりも外方（図１２中、右方向）に位置するよう水槽６の最下部に配設されている。
【００３４】
後面６ｂは、ドラム８の回転軸心の下方（図１３参照）において、前記排水口５０の径に沿うように鉛直方向に略円筒状に形成した膨出部５１を有している。この膨出部５１の内側に、膨出部５１と水槽６とを隔離するよう、仕切り部５２が後面６ｂと面一に形成されている。さらに、膨出部５１の上部には、膨出部５１の外方に向って外部に連通する小円筒状の接続部５３が設けられており（図１４参照）、この接続部５３から連結チューブ５４が上方に延びて、本体ケース１内の上部に設けられた水位検出部５５に接続されている（図１３参照）。これら膨出部５１、仕切り部５２、連結チューブ５４及び水位検出部５５により水位検出手段たる水位検出装置５６が構成されている。
【００３５】
このような構成によれば、ドラム８の孔８ａと排水口５０とが重ならないので、脱水時等にドラム８の孔８ａより流下乃至噴出する水が、排水口５０を通過し、排水弁１３や排水ホース１４に直接あたることが無いため、水のはねる音を減少させることができる。
また、膨出部５１を利用して水位検出装置５６を構成することで、排水口５０と近い位置にて水位検知ができ、且つ簡素な構成で前述した水切れの効果を同時に得ることができる。
【００３６】
尚、本発明は、上記し、且つ図面に示す実施例にのみ限定されるものではなく、次のような変形、拡張が可能である。
本発明は、前面オープンドラム式洗濯機に限られず、トップオープン式ドラム式洗濯機にも適用できるものである。また、乾燥手段を備えていないドラム式洗濯機や、洗濯槽兼脱水槽たる縦型回転槽を備えた縦型洗濯機にも適用できるものである。
【００３７】
さらに、上記実施例では、補助脚４０のねじ４１の座面４２の位置まで十文字のスリット４３（図９参照）を設けたが、これに限定されるものではなく、例えば円形のスリットを単数または複数入れてもよく、そのスリットの深さは、補助脚の任意の変形量がえられるよう適宜変更が可能である。
【図面の簡単な説明】
【００３８】
【図１】本発明の第１実施例を示す、洗濯機全体の破断側面図
【図２】台板の底面図
【図３】台板の側面図
【図４】台板の正面図
【図５】台板の部分拡大底面図
【図６】要部の拡大縦断側面図
【図７】本体ケースの下板及び点検板を取り外した状態での全体の背面図
【図８】図７のＡ−Ａ線に沿う横断面図
【図９】本発明の第２実施例を示す図５相当図
【図１０】図６相当図
【図１１】本発明の第３実施例を示す補助脚部分の拡大縦断側面図
【図１２】本発明の第４実施例を示す図１相当図
【図１３】図７相当図
【図１４】図１３のＢ−Ｂ線に沿う横断面図
【符号の説明】
【００３９】
図面中、１は本体ケース、３は台板、３ａは前辺（直交する辺）、３ｂは後辺（直交する辺）、３ｃは左辺（平行となる辺）、３ｄは右辺（平行となる辺）、６は水槽、７は弾性支持機構（防振手段）、７ａは弾性支持機構取付部（防振手段取付部）、８はドラム（回転槽）、８ｂは回転軸、８ｃは軸線、９はモータ（駆動手段）、３１は防振脚、３２は防振脚、３３は補助脚、３６は投影された軸線を示す。
【図１】
2006204715.tif 000003
【図２】
2006204715.tif 000004
【図３】
2006204715.tif 000005
【図４】
2006204715.tif 000006
【図５】
2006204715.tif 000007
【図６】
2006204715.tif 000008
【図７】
2006204715.tif 000009
【図８】
2006204715.tif 000010
【図９】
2006204715.tif 000011
【図１０】
2006204715.tif 000012
【図１１】
2006204715.tif 000013
【図１２】
2006204715.tif 000014
【図１３】
2006204715.tif 000015
【図１４】
2006204715.tif 000016